(57)【要約】【課題】操作画面に表示されるエラー表示の発生原因をユーザーが容易に認識することのできるエラー表示方法および画像表示装置を提案すること。【解決手段】画像表示装置１は、タッチパネル２が設けられた操作パネル３を備える。制御部３０は、タッチパネル２の表示画面に操作画面を表示する。操作画面には、複数のボタンが配置される。制御部３０は、現在の設定と排他的な関係にある設定内容のボタンは選択不能であると判定し、選択不能なボタンをグレーアウトさせて表示する。グレーアウト表示されたボタンのタッチを検出すると、タッチされたボタン６５１とエラー表示ウィンドウ７０とを同時に表示画面に表示させる。例えば、タッチされたボタン６５１を画面上方へスライドさせ、ボタン６５１の下側の空きスペースにエラー表示ウィンドウ７０をスライドインさせる。【選択図】図６
2018109927.tif 000002
【特許請求の範囲】
【請求項１】
画像表示部と、前記画像表示部に操作画面を表示させる制御部と、を有し、
前記制御部は、前記画像表示部に表示される第１部品の操作が禁止されている状態で前記第１部品が操作されたことに応じて、前記第１部品と、前記第１部品の操作禁止に関するエラー表示とを前記画像表示部に同時に表示させることを特徴とする画像表示装置。
【請求項２】
前記画像表示部は、タッチパネルに設けられていることを特徴とする請求項１に記載の画像表示装置。
【請求項３】
前記制御部は、前記第１部品の操作が禁止されている状態で前記第１部品が操作されたことに応じて、前記操作画面における前記第１部品の表示位置を変更し、前記表示位置を変更する前に前記第１部品が表示されていた位置に前記エラー表示を表示させることを特徴とする請求項１または２に記載の画像表示装置。
【請求項４】
前記第１部品は、第１方向に配列された複数のボタンのうちの１つであり、
前記制御部は、前記第１部品の操作が禁止されている状態で前記第１部品が操作されたことに応じて、前記複数のボタンを前記第１方向にスクロール表示させ、且つ、前記操作画面に前記エラー表示を前記第１方向にスライドインさせることを特徴とする請求項３に記載の画像表示装置。
【請求項５】
前記制御部は、前記第１部品の操作が禁止されている状態では前記第１部品をグレーアウトさせて表示し、前記第１部品の操作が禁止されている状態で前記第１部品が操作されたことに応じて、前記第１部品のグレーアウト表示を解除し、且つ、前記第１部品と前記エラー表示以外をグレーアウトさせて表示することを特徴とする請求項１から４の何れか一項に記載の画像表示装置。
【請求項６】
前記制御部は、前記エラー表示を終了させる時に、前記第１部品の操作が禁止されている状態で前記第１部品が操作される直前の表示に戻すことを特徴とする請求項３から５の何れか一項に記載の画像表示装置。
【請求項７】
画像表示部に表示される第１部品が操作された場合に、前記第１部品の操作が禁止されているか否かを判定する判定ステップと、
前記第１部品の操作が禁止されていると判定された場合に、前記第１部品と前記第１部品の操作禁止に関するエラー表示とを前記画像表示部に同時に表示させるエラー表示ステップと、を行うことを特徴とするエラー表示方法。
【請求項８】
前記エラー表示ステップでは、前記画像表示部に表示された操作画面における前記第１部品の表示位置を変更し、前記表示位置を変更する前に前記第１部品が表示されていた位置に前記エラー表示を表示させることを特徴とする請求項７に記載のエラー表示方法。
【請求項９】
前記第１部品は、第１方向に配列された複数のボタンのうちの１つであり、
前記エラー表示ステップでは、前記複数のボタンを前記第１方向にスクロール表示させ、且つ、前記操作画面に前記エラー表示を前記第１方向にスライドインさせることを特徴とする請求項８に記載のエラー表示方法。
【請求項１０】
前記第１部品の操作が禁止されているか否かを判定し、禁止されている場合に前記第１部品をグレーアウトさせて表示し、
前記エラー表示ステップでは、前記第１部品の操作が禁止されている状態で前記第１部品が操作されたことに応じて、前記第１部品のグレーアウト表示を解除し、且つ、前記第１部品と前記エラー表示以外をグレーアウトさせて表示することを特徴とする請求項７から９の何れか一項に記載のエラー表示方法。
【請求項１１】
前記エラー表示を終了させる時に、前記第１部品の操作が禁止されている状態で前記第１部品が操作される直前の表示に戻す復帰ステップを更に行うことを特徴とする請求項８から１０の何れか一項に記載のエラー表示方法。
【発明の詳細な説明】
【技術分野】
【０００１】
本発明は、操作画面を表示する画像表示部を備える画像表示装置、および画像表示部へのエラー表示方法に関する。
【背景技術】
【０００２】
従来から、画像表示部を備えた各種の装置において、ボタンなどのＧＵＩ部品（ＧＵＩ：Ｇｒａｐｈｉｃａｌ  Ｕｓｅｒ  Ｉｎｔｅｒｆａｃｅ）が配置された操作画面を表示し、ＧＵＩ部品をタッチあるいはカーソル等でクリックすることによって操作命令を入力するものがある。また、操作画面上に現在の設定では操作不能なＧＵＩ部品が表示される場合に、操作不能なＧＵＩ部品をグレーアウトさせて表示することが行われる。グレーアウト表示とは、所定の濃度のグレーでマスクして表示することを意味する。
【０００３】
特許文献１には、この種の表示を行う複合機が開示される。特許文献１の複合機は、操作画面にタッチして入力することができる操作表示部と、操作表示部を制御する操作表示制御部を備える。操作表示制御部は、既に設定された設定項目と排他的な関係にある設定項目のメニューを選択不能であると判断し、選択不能なメニューのＧＵＩ部品をグレーアウトさせて表示する。
【先行技術文献】
【特許文献】
【０００４】
【特許文献１】特開２００８−４２４１７号公報
【発明の概要】
【発明が解決しようとする課題】
【０００５】
特許文献１では、グレーアウトされたメニューがタッチされた場合は、タッチされたメニューに対応する操作命令を実行できないことのメッセージ（エラー表示）を表示する。しかしながら、このメッセージを表示するウィンドウは画面中央に配置されるため、メッセージの発生原因となったＧＵＩ部品（グレーアウトされたメニュー）がエラー表示に隠れてしまい、ユーザーが視認できない。その結果、なぜエラー表示が表示される状況に陥ったか理解しづらいという問題点がある。特に、グレーアウトされたメニューにユーザーが誤ってタッチした場合、なぜエラー表示が表示されたかすぐには理解できずに混乱するおそれがある。
【０００６】
本発明の課題は、このような点に鑑みて、操作画面に表示されるエラー表示の発生原因をユーザーが容易に認識することのできるエラー表示方法および画像表示装置を提案することにある。
【課題を解決するための手段】
【０００７】
上記の課題を解決するために、本発明の画像表示装置は、画像表示部と、前記画像表示部に操作画面を表示させる制御部と、を有し、前記制御部は、前記画像表示部に表示される第１部品の操作が禁止されている状態で前記第１部品が操作されたことに応じて、前記第１部品と、前記第１部品の操作禁止に関するエラー表示とを前記画像表示部に同時に表示させることを特徴とする。
【０００８】
また、本発明のエラー表示方法は、画像表示部に表示される第１部品が操作された場合に、前記第１部品の操作が禁止されているか否かを判定する判定ステップと、前記第１部品の操作が禁止されていると判定された場合に、前記第１部品と前記第１部品の操作禁止に関するエラー表示とを前記画像表示部に同時に表示させるエラー表示ステップと、を行うことを特徴とする。
【０００９】
本発明の画像表示装置およびそのエラー表示方法は、操作が禁止されているＧＵＩ部品などの第１部品が操作された場合に、当該第１部品とエラー表示とを同時に表示画面に表示させる。このようにすると、エラー表示の原因となった第１部品とエラー表示とをユーザーが同時に視認できる。従って、エラー表示の原因をユーザーが容易に理解することができる。なお、部品というのは、データ上で同一のものに限定されていない。例えば、操作が禁止されている部品とエラー表示と同時に表示される部品とは、ユーザーが同等の物だと認識するものであれば、データ上は別に用意されていてもよい。また、色や鮮明度などが異なっていてもよい。
【００１０】
本発明の表示装置において、前記画像表示部はタッチパネルに設けられていてもよい。このような構成では、操作が禁止されているＧＵＩ部品を誤ってタッチした場合に、エラー表示の原因をユーザーが容易に理解することができる。
【００１１】
本発明の画像表示装置およびエラー表示方法において、前記第１部品の操作が禁止されている状態で前記第１部品が操作されたことに応じて、前記操作画面における前記第１部品の表示位置を変更し、前記表示位置を変更する前に前記第１部品が表示されていた位置に前記エラー表示を表示させることが望ましい。このようにすると、エラー表示を表示するスペースを確保できる。従って、エラー表示の原因となった第１部品とエラー表示とを同時に表示することができる。
【００１２】
本発明の画像表示装置およびエラー表示方法において、前記第１部品は、第１方向に配列された複数のボタンのうちの１つであり、前記制御部は、前記第１部品の操作が禁止されている状態で前記第１部品が操作されたことに応じて、前記複数のボタンを前記第１方向にスクロール表示させ、且つ、前記操作画面に前記エラー表示を前記第１方向にスライドインさせることが望ましい。このようにすると、エラー表示とその原因となった第１部品とが同一方向に連動して移動するため、第１部品がエラー表示の原因であることが直観的に認識されやすい。従って、エラー表示の原因をユーザーが容易に理解することができる。
【００１３】
本発明の画像表示装置およびエラー表示方法において、前記第１部品の操作が禁止されている状態では前記第１部品をグレーアウトさせて表示し、前記第１部品の操作が禁止されている状態で前記第１部品が操作されたことに応じて、前記第１部品のグレーアウト表示を解除し、且つ、前記第１部品と前記エラー表示以外をグレーアウトさせて表示することが望ましい。このようにすると、エラー表示およびその原因となった第１部品を表示画面内で目立たせることができる。従って、第１部品がエラー表示の原因であることが直観的に認識されやすい。よって、エラー表示の原因をユーザーが容易に理解することができる。
【００１４】
本発明の画像表示装置およびエラー表示方法において、前記エラー表示を終了させる時に、前記第１部品の操作が禁止されている状態で前記第１部品が操作される直前の表示に戻すことが望ましい。このようにすれば、ユーザーはエラー表示が表示される直前に行っていた設定入力などの操作をそのまま続けることができる。
【図面の簡単な説明】
【００１５】
【図１】本発明を適用した画像表示装置のブロック図である。
【図２】第１操作画面の説明図である。
【図３】第２操作画面（マルチページ選択画面）の説明図である。
【図４】第２操作画面（マルチページ選択画面）の説明図である。
【図５】第２操作画面（レイアウト順序選択画面）の説明図である。
【図６】グレーアウトボタンがタッチされた場合のエラー表示の説明図である。
【図７】タッチ検出およびエラー表示のフローチャートである。
【発明を実施するための形態】
【００１６】
以下に、図面を参照して、本発明を適用した画像表示装置およびそのエラー表示方法の実施形態を説明する。
【００１７】
図１は本発明を適用した画像表示装置１のブロック図である。画像表示装置１は、印刷機構１０および光学式のスキャナーユニット２０を備えた複合機であり、印刷機構１０およびスキャナーユニットを収容する筐体と、筐体の所定位置に設けられた操作パネル３を備える。操作パネル３にはタッチパネル２が設けられている。タッチパネル２は、操作画面を表示する画像表示部４と、画像表示部４の画面上に配置された位置入力部５を備える。位置入力部５は、画像表示部４に表示された操作画面上のユーザーのタッチ位置を検出する。なお、操作パネル３は、タッチパネル２に加えて、他の入力部や表示部を備えていてもよい。例えば、物理的に押下可能なボタンやスイッチ、ＬＥＤランプ等を備えていても良い。
【００１８】
画像表示装置１は、印刷機構１０およびスキャナーユニット２０を制御する制御部３０と、ネットワークを介して他の装置と通信を行うためのインターフェース部４０を備える。制御部３０は、インターフェース部４０を介して受信した印刷ジョブデータに基づいて印刷機構１０を制御し、印刷ジョブデータで指示された内容の印刷を行う。また、画像表示装置１はコピー機能を備える。制御部３０は、操作パネル３からの操作入力に基づき、スキャナーユニット２０で原稿をスキャンして生成した画像データを印刷機構１０で印刷することにより、原稿をコピーする。また、画像表示装置１は他の機能を備えていても良い。例えば、スキャナーユニット２０で原稿をスキャンして生成した画像データを操作パネル３から入力された送信先に送信するＦＡＸ機能を備えていてもよい。
【００１９】
制御部３０は、ＣＰＵ３１、不揮発性メモリーであるＲＯＭ３２、揮発性メモリーであるＲＡＭ３３を備える。また、制御部３０は、図示しないＡＳＩＣや信号処理回路等を備えていてもよい。あるいは、受信したデータや原稿をスキャンしたデータを蓄積するＨＤＤを備えていても良い。制御部３０は、例えばＣＰＵ３１が、ＲＯＭ３２、ＲＡＭ３３に記憶されたファームウェア等のプログラムを読み出して処理を実行し、また例えばＡＳＩＣに実装された機能により処理を実行し、また例えば信号処理回路で信号処理を行って処理を実行する等、ハードウェアとソフトウェアとの協働により各種の処理を実行する。
【００２０】
制御部３０は、ＲＯＭ３２に記憶されたタッチパネル制御プログラムを実行することにより、タッチパネル２の画像表示部４に操作画面を表示するとともに、タッチパネル２の位置入力部５への操作入力を受け付ける。画像表示部４としては、液晶表示装置（ＬＣＤ）が用いられる。また、位置入力部５は、例えば、発光素子と受光素子を用いて遮光位置（タッチ位置）を検出する方式のものが用いられる。あるいは、他の検出方式のタッチパネルを用いても良い。
【００２１】
（操作画面）
画像表示装置１に電源が投入され、操作パネル３が起動すると、タッチパネル２には操作画面の１つであるメインメニュー画面が表示される。メインメニュー画面には、複数のメニュー項目を示すＧＵＩ部品が表示される。例えば、「コピー」「スキャン」「セットアップ」などのボタンが表示される。メインメニュー画面で「コピー」ボタンをタッチすると、タッチパネル２に表示される操作画面は、メインメニュー画面から、コピーを行うための操作画面に遷移する。
【００２２】
図２〜図５はタッチパネル２に表示される操作画面の説明図であり、コピー機能に関する設定を行う際の操作画面を示す。図２は第１操作画面５０の説明図であり、図３〜図５は第２操作画面６０の説明図である。各操作画面には、操作入力を行うためのボタン、タブ、スクロールバー等のＧＵＩ部品が配置される。
【００２３】
図２に示すように、第１操作画面５０は、第１領域５１、第２領域５２、および第３領域５３を備える。第１領域５１は、タッチパネル２の画面右端に配置される縦長の領域である。第１領域５１には、操作メニューを示す複数のＧＵＩ部品が表示される。例えば、図２の例では、４つのボタン５１１、５１２、５１３、５１４が画面上下方向Ｆに１列に配列される。ボタン５１１は「コピー開始ボタン」であり、ボタン５１２は「プレビューボタン」であり、ボタン５１３は「コピー部数設定ボタン」であり、ボタン５１４は「プリセット（お気に入り）ボタン」である。
【００２４】
第２領域５２は、第１領域５１の左側の領域の上端に配置される。第２領域５２には、２つの設定画面を選択するためのＧＵＩ部品である第１タブＴ１および第２タブＴ２が表示される。「Ｂａｓｉｃ  Ｓｅｔｔｉｎｇｓ」と表示された第１タブＴ１をタッチすると基本設定画面が表示される。また、「Ａｄｖａｎｃｅｄ」と表示された第２タブＴ２をタッチすると、図２に示す詳細設定メニュー画面５４が表示される。詳細設定メニュー画面５４には、画面上下方向Ｆに延在するスクロールバー５５が表示される。スクロールバー５５の端部に表示される矢印をタッチすると、詳細設定メニュー画面５４が矢印方向にスクロールする。詳細設定メニュー画面５４には、設定項目を示す複数のＧＵＩ部品が表示される。図２の例では、複数のボタン５４１、５４２、５４３、５４４が画面上下方向Ｆに配列される。各ボタンをタッチすることにより、詳細設定の具体的入力を行うための操作画面に遷移する。例えば、「Ｍｕｌｔｉ‐Ｐａｇｅ」と表示されたボタン５４１をタッチすると、図３に示すように、マルチページ設定を行うための第２操作画面６０に遷移する。
【００２５】
図３、図４に示すように、第２操作画面６０は、第１領域６１、第２領域６２、および第３領域６３を備える。第１領域６１の表示内容は、第１操作画面５０の第１領域５１と同一である。一方、第２領域６２と第３領域６３の表示内容は、第１操作画面５０と異なる。第２操作画面６０の第２領域６２には、第２操作画面６０で入力した設定を確定するか、あるいはキャンセルするかを入力するためのキャンセルボタン６２１およびＯＫボタン６２２が配置される。
【００２６】
第３領域６３には詳細設定入力画面６４が表示される。詳細設定入力画面６４は、第１方向Ｆ１に延在するスクロールバー６５と、スクロールバー６５の左側において画面上下方向Ｆに配列される複数のボタンを備える。複数のボタンは、１枚の用紙に印刷するページ数の設定（マルチページ設定）を行うためのボタン群（ボタン６３１、６３２、６３３）と、複数ページを印刷する場合の割り付け設定（Ｌａｙｏｕｔ  Ｏｒｄｅｒ／レイアウト順序設定）を行うためのボタン群（ボタン６４１、６４２）と、用紙の向き（Ｏｒｉｅｎｔａｔｉｏｎ）を設定するためのボタン群（ボタン６５１・・・）を含む。なお、詳細設定入力画面６４に表示されるＧＵＩ部品はこれらに限定されるものではなく、他の設定項目を設定するためのボタンを備えていてもよい。
【００２７】
第２操作画面６０では、詳細設定入力画面６４をスクロールさせて表示範囲を移動させる。図３、図４では、詳細設定入力画面６４の上部に配置されたマルチページ設定のボタン群（ボタン６３１、６３２、６３３）が表示される。以下、図３、図４の表示画面をマルチページ選択画面６４Ａという。マルチページ選択画面６４Ａを表示したとき、レイアウト順序設定に用いられるボタン群の一部も表示される。図３、図４の例では、マルチページ選択画面６４Ａの下端にボタン６４１の一部が表示される。図３は「Ｓｉｎｇｌｅ  Ｐａｇｅ（１ページ／枚）」のボタン６３１が選択されている状態を示す。一方、図４は「２‐ｕｐ（２ページ／枚）」のボタン６３２がタッチされ、「２‐ｕｐ（２ページ／枚）」に設定が変更された状態を示す。
【００２８】
制御部３０は、操作画面に配置されたボタンの表示態様をその時点の設定状況に応じて変化させる。例えば、詳細設定入力画面６４において、現在の設定と排他的な関係にあるボタン、言い換えれば、現在の設定では操作（選択）が禁止されているボタンをグレーアウトさせて表示する。そのため、制御部３０は、詳細設定入力画面６４に配置されたボタンのそれぞれについて操作が禁止されているか否かを判定し、禁止されている場合には当該ボタンをグレーアウトさせて表示する。
【００２９】
例えば、図３、図４に示すように、制御部３０は、マルチページ設定の設定状況に応じて、レイアウト順序設定のボタン群（ボタン６４１、６４２）の表示態様を変化させる。具体的には、図３に示すように「Ｓｉｎｇｌｅ  Ｐａｇｅ（１ページ／枚）」のボタン６３１が選択されている場合、レイアウト順序選択（割り付け設定）は選択不能である（すなわち、操作が禁止されている）ため、破線で囲んだボタン６４１をグレーアウトさせて表示する。
【００３０】
一方、図４に示すように、「２‐ｕｐ（２ページ／枚）」のボタン６３２が選択されている場合、レイアウト順序選択（割り付け設定）は設定可能である。従って、ボタン６４１はグレーアウトさせず、通常の表示態様で表示する。ここで、図４に示すように、「２‐ｕｐ（２ページ／枚）」のボタン６３２を選択した場合、レイアウト順序選択は、図４、図５に示すように、「Ｌｅｆｔ→Ｒｉｇｈｔ／Ｔｏｐ→Ｂｏｔｔｏｍ」のボタン６４１が選択された状態に切り換わる。例えば、レイアウト順序選択の初期設定を「Ｌｅｆｔ→Ｒｉｇｈｔ／Ｔｏｐ→Ｂｏｔｔｏｍ」に設定した場合に、このような処理が行われる。
【００３１】
マルチページ設定を行った後、詳細設定入力画面６４を下方にスクロールさせると、図５に示すように、レイアウト順序選択画面６４Ｂが表示される。レイアウト順序選択画面６４Ｂには、レイアウト順序選択を行うためのボタン６４１、６４２が表示される。ボタン６４１は「Ｌｅｆｔ→Ｒｉｇｈｔ／Ｔｏｐ→Ｂｏｔｔｏｍ」の順番を設定するためのボタンであり、ボタン６４２は「Ｒｉｇｈｔ→Ｌｅｆｔ／Ｂｏｔｔｏｍ→Ｔｏｐ」を設定するためのボタンである。ユーザーは「２‐ｕｐ（２ページ／枚）」のボタン６３２が選択されている場合、レイアウト順序選択（割り付け設定）としてボタン６４１とボタン６４２とのどちらか一方を選択することが可能である。また、レイアウト順序選択画面６４Ｂには、用紙の向き（Ｏｒｉｅｎｔａｔｉｏｎ）を設定するボタンの一部も表示される。図５の例では、レイアウト順序選択画面６４Ｂの下端にボタン６５１が表示される。制御部３０は、レイアウト順序選択画面６４Ｂにおいても、既に設定したマルチページ設定およびレイアウト順序選択の設定状況と排他的な関係にある設定を選択するボタンは選択不能である（すなわち、操作が禁止されている）と判定し、操作が禁止されているボタンをグレーアウト表示させる。具体的には、図５に示すように「Ｌｅｆｔ→Ｒｉｇｈｔ／Ｔｏｐ→Ｂｏｔｔｏｍ」のボタン６４１が選択されている設定状況では、用紙の向きは設定不能である。従って、破線で囲んだボタン６５１をグレーアウトさせて表示する。以下、グレーアウト表示されたボタンをグレーアウトボタンという。
【００３２】
（グレーアウトボタンをタッチした場合のエラー表示）
制御部３０は、グレーアウトボタン（例えば、図３のボタン６４１や、図５のボタン６５１）がユーザーによりタッチされた場合は、当該ボタンを選択できないことを説明するエラー表示を行う。以下、エラー表示の具体的態様およびエラー表示を行う制御の例について説明する。図６はグレーアウトボタンがタッチされた場合のエラー表示の説明図であり、図５のボタン６５１がタッチされた場合の例を示す。また、図７はタッチ検出およびエラー表示のフローチャートである。
【００３３】
図６に示すように、制御部３０は、タッチパネル２に表示される複数のＧＵＩ部品のうちの１つである第１部品、すなわちグレーアウトボタン（ボタン６５１）がタッチされた場合に、タッチされたボタン６５１およびエラー表示ウィンドウ７０を同時に表示画面に表示させる。エラー表示ウィンドウ７０には、タッチされたボタン６５１（グレーアウトボタン）の操作禁止に関する情報、例えば、ボタン６５１を操作できない理由や解決方法を表示する。また、このエラー表示を行う際、タッチされたボタン６５１のグレーアウト表示を解除してハイライト表示させ、エラー表示ウィンドウ７０も同様にハイライト表示させる。そして、ハイライト表示されたボタン６５１およびエラー表示ウィンドウ７０を除く背景領域８０をグレーアウト表示する。すなわち、背景領域８０を濃いグレーでマスクする。
【００３４】
以下、図７を参照して、タッチ検出およびエラー表示の制御を説明する。図７に示すように、制御部３０は、ユーザーによってボタンがタッチされたことを検出すると（ステップＳＴ１）、タッチされたボタンが、現在の設定で操作可能なボタンか否かを判定する判定ステップ（ステップＳＴ２）を行う。ステップＳＴ２では、タッチされたボタンがグレーアウトボタンでない場合は操作可能であると判定されることになる（ステップＳＴ２：Ｙｅｓ）。この場合には、タッチ操作受付処理を行う（ステップＳＴ１０）。例えば、タッチされたボタンを反転表示させ、タッチされたボタンに対応付けられた設定に変更する。一方、ステップＳＴ２において、タッチされたボタンがグレーアウトボタンである場合は、このボタンが操作可能でない、言い換えれば操作が禁止されていると判定される（ステップＳＴ２：Ｎｏ）。従って、ステップＳＴ３に進む。
【００３５】
ステップＳＴ３〜ＳＴ７はエラー表示ステップである。ステップＳT３では、操作画面の背景領域８０を濃いグレーでマスクする。ここで、背景領域８０とは、タッチされたボタン６５１およびエラー表示ウィンドウ７０を除く領域である。次に、ステップＳＴ４では、タッチされたボタン６５１（すなわち、グレーアウトボタン）のグレーアウト表示を解除してハイライト化する。続いて、ステップＳＴ５では、タッチされたボタン６５１の下にエラー表示ウィンドウ７０を配置可能な空きスペースがあるか判定する。空きスペースがない場合（ステップＳＴ５：Ｎｏ）、ステップＳＴ６へ進み、タッチされたボタンを第１方向Ｆ１（図６の例では画面上方）へスライドさせる。そして、ステップＳＴ７へ進み、タッチされたボタン６５１の下側に新たに生まれた空きスペースにエラー表示ウィンドウ７０をスライドインさせる。あるいは、タッチされたボタン６５１の下に最初から空きスペースがある場合（ステップＳＴ５：Ｙｅｓ）、ステップＳＴ６を行わず、ステップＳＴ５からステップＳＴ７へ進み、タッチされたボタン６５１の下側に存在していた空きスペースにエラー表示ウィンドウ７０をスライドインさせる。以上により、図５の操作画面が、図６に示すエラー表示画面に切り換わる。
【００３６】
なお、ボタン６５１の移動（ステップＳＴ６）とエラー表示ウィンドウ７０のスライドイン（ステップＳＴ７）を同時に行ってもよいし、ボタン６５１の移動が完了してからエラー表示ウィンドウ７０をスライドインさせてもよい。また、背景領域８０のグレーアウト化やボタン６５１のハイライト化はステップＳＴ３〜ＳＴ７のどのタイミングで行ってもよい。
【００３７】
制御部３０は、図６のエラー表示画面を表示した場合、一定時間経過したか否かを判定し（ステップＳＴ８）、経過した場合には、エラー表示を終了してグレーアウトボタンがタッチされる直前の操作画面（ＳＴ１で図３のボタン６４１をタッチされた場合には、図３の操作画面であり、ＳＴ１で図５のボタン６５１をタッチされた場合には、図５の操作画面である。）に戻る（ステップＳＴ９：復帰ステップ）。あるいは、エラー表示ウィンドウ７０にＯＫボタンを表示し、ステップＳＴ８でＯＫボタンがタッチされたか否かを判定し、ＯＫボタンがタッチされた場合に、エラー表示を終了することもできる。エラー表示を終了してグレーアウトボタンがタッチされる直前の操作画面に戻ることにより、エラー表示が表示される前に行っていた設定入力をそのまま続けることができる。
【００３８】
（本形態の主な作用効果）
以上のように、本形態の画像表示装置１は、操作パネル３の表示画面に操作が禁止されているＧＵＩ部品（第１部品）であるグレーアウトボタン（ボタン６５１）が表示され、このボタン６５１がタッチされた場合には、ボタン６５１とエラー表示ウィンドウ７０とを同時に表示画面に表示させる。このようにすると、エラー表示ウィンドウ７０が表示される原因となったＧＵＩ部品（グレーアウトボタン）を、エラー表示ウィンドウ７０が表示されている状態で同時にユーザーが視認することができる。従って、エラー表示の原因をユーザーが容易に理解することができる。
【００３９】
本形態では、タッチされたボタン６５１の表示位置を変更してこのボタン６５１が最初に表示されていた位置に空きスペースを作り、この空きスペースにエラー表示ウィンドウ７０を表示する。これにより、タッチされたボタン６５１とエラー表示ウィンドウ７０とを同時に表示画面に表示させることができる。また、本形態では、タッチされたボタン６５１を画面上方である第１方向Ｆ１スライドさせて表示位置を変更し、ボタン６５１が移動した方向と同一方向にエラー表示ウィンドウをスライドインさせる。このように、タッチされたボタン６５１を移動させる方向と、エラー表示ウィンドウをスライドインさせる方向が同一方向（第１方向Ｆ１）であれば、移動するボタン６５１がエラー表示の原因であることが直感的に認識されやすい。従って、エラー表示の原因をユーザーが容易に理解することができる。
【００４０】
本形態では、エラー表示の原因となったボタン６５１のグレーアウト表示を解除してハイライト表示し、且つ、ハイライト表示されたボタン６５１およびエラー表示ウィンドウ７０を除く背景領域をグレーアウト表示する。これにより、エラー表示とその原因となったボタン６５１を表示画面内で目立たせることができる。従って、ボタン６５１がエラー表示の原因であることが直観的に認識されやすい。よって、エラー表示の原因をユーザーが容易に理解することができる。
【００４１】
（変形例）
（１）上記形態では、エラー表示の原因となったボタン６５１のみを画面上方である第１方向Ｆ１へスライドさせてエラー表示を行うが、詳細設定入力画面６４には、画面上下方向Ｆに複数のボタン６３１、６３２、６３３、６４１、６４２、６５１・・が一列に配置されており、その１つがエラー表示の原因となったボタン６５１である。従って、ステップＳＴ６において、グレーアウト表示されていたボタン６５１のみをスライドさせるのでなく、これら複数のボタンの全てあるいは一部をその配列方向である第１方向Ｆ１にスクロール表示させることもできる。このようにすれば、エラー表示の原因となったボタン６５１と他のボタンとの位置関係が保たれるので、エラー表示の原因であるボタン６５１がどのようなボタンであるかをユーザーが容易に理解することができる。
【００４２】
（２）上記形態では、エラー表示の原因となったボタン６５１が操作画面の下端に表示されていたため、ボタン６５１をスライドさせる方向（第１方向Ｆ１）は画面上方であったが、ボタン６５１の移動方向およびエラー表示ウィンドウ７０をスライドインさせる方向は他の方向であってもよい。例えば、画面下方に向けてスライドさせてもよいし、左右方向にスライドインさせてもよい。
【００４３】
（３）上記形態では、エラー表示の原因となったＧＵＩ部品はボタンであったが、ボタン以外のＧＵＩ部品（例えば、ウィンドウやチェックボックス、タブなど）をグレーアウト表示することもできる。このような場合にも、上記と同様のエラー表示を行うことができる。例えば、グレーアウト表示されたウィンドウをスライドさせてエラー表示ウィンドウと並べて表示することができる。
【００４４】
（４）上記形態では、ステップＳＴ７でエラー表示ウィンドウ７０がスライドインする方向は、ステップＳＴ６でボタン６５１がスライドする方向と一致していたが、一致していなくてもよい。例えば、ボタン６５１が画面上方へスライドし、エラー表示ウィンドウ７０が左側あるいは右側からスライドインしてもよい。
【００４５】
（他の実施形態）
上記形態は、複合機である画像表示装置１に本発明を適用したものであったが、本発明は操作パネル３を備える各種の画像表示装置に適用することができる。例えば、印刷機能のみを持つ単機能のプリンターや、スキャナー機能のみを持つ単機能のスキャナー装置に本発明を適用することができる。また、タッチパネルを備えるコンピューター装置やタブレット型端末に本発明を適用することができる。例えば、タブレット型の操作端末をプリンターや複合機とは別体に構成し、操作端末とプリンターや複合機との間で通信を行って操作することもできる。また、画像表示部はタッチパネルでなくてもよく、マウスやタッチパッドなどの入力装置を用いて画像表示部に表示される操作画面への入力を行うものであってもよい。
【符号の説明】
【００４６】
１…画像表示装置、２…タッチパネル、３…操作パネル、４…画像表示部、５…位置入力部、１０…印刷機構、２０…スキャナーユニット、３０…制御部、４０…インターフェース部、５０…第１操作画面、５１…第１領域、５２…第２領域、５３…第３領域、５４…詳細設定メニュー画面、５５…スクロールバー、６０…第２操作画面、６１…第１領域、６２…第２領域、６３…第３領域、６４…詳細設定入力画面、６４Ａ…マルチページ選択画面、６４Ｂ…レイアウト順序選択画面、６５…スクロールバー、７０…エラー表示ウィンドウ、８０…背景領域、５１１、５１２、５１３、５１４…ボタン、５４１、５４２、５４３、５４４…ボタン、６２１…キャンセルボタン、６２２…ＯＫボタン、６３１、６３２、６３３…ボタン、６４１、６４２…ボタン、６５１…ボタン、Ｆ…画面上下方向、Ｆ１…第１方向、Ｔ１…第１タブ、Ｔ２…第２タブ。
【図１】
2018109927.tif 000003
【図２】
2018109927.tif 000004
【図３】
2018109927.tif 000005
【図４】
2018109927.tif 000006
【図５】
2018109927.tif 000007
【図６】
2018109927.tif 000008
【図７】
2018109927.tif 000009